【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
予め登録してあるコンピュータによって実行されるヘルスケア情報環境でレジメンへのアドヒアランスを管理する方法であって、
対象生体によって摂取される該当する用量の薬の内部に埋め込まれたマーカから検出された薬摂取情報を含む第１の無線伝送を、プロセッサと、該プロセッサに連結されたメモリと、前記プロセッサに連結されたディスプレイとを備えたモバイルデバイスで、前記対象生体の身体に連結された一又は複数の着用可能な無線受信器から自動的に受信することと、前記用量の薬が前記対象生体によって摂取されると前記薬摂取情報を前記モバイルデバイスで継続的に受信することと、
前記薬摂取情報を含む第２の無線伝送を、バックエンドコンピュータ処理システムに自動的に送信することと、
前記バックエンドコンピュータ処理システムにあるコンピュータから、該コンピュータに送信された薬摂取情報に少なくとも部分的に基づいて所定の期間に亘る前記対象生体の挙動を特徴付ける個人情報ストリームを受信することと、
前記ディスプレイにグラフィカルユーザインタフェース画面を表示することと、
前記グラフィカルユーザインタフェース画面内に、前記個人情報ストリームに少なくとも部分的に基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象生体に関連した情報を表示させることと、
前記モバイルデバイスによって、少なくとも１つのグラフィカルユーザインタフェース要素を選択する入力を受けることと、
前記少なくとも１つのグラフィカルユーザインタフェース要素を選択する入力に応じて、前記グラフィカルユーザインタフェース画面内に、前記所定の期間に亘る前記対象生体の活動レベルを示す活動リボンを有する前記活動タイムラインを表示することと、
前記グラフィカルユーザインタフェース画面内に、前記活動リボン及び前記活動タイムラインに対して薬の摂取を表示することと
を含み、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、前記薬摂取情報に基づく実際に検出された薬の摂取時間を別の組のアイコンとして表示することを特徴とする方法。
【請求項２】
前記所定の期間に亘って前記対象生体の活動レベルを継続的に追跡することと、
前記活動リボンを表示することと
を含むことを特徴とする請求項１に記載の方法。
【請求項３】
前記活動リボンにコメント吹き出しを表示することを更に含むことを特徴とする請求項１に記載の方法。
【請求項４】
第２の活動レベルが予測される場合、第１の活動レベルを示すために、前記活動リボン内にサブ活動要素を表示することを更に含むことを特徴とする請求項１に記載の方法。
【請求項５】
前記複数の選択可能なグラフィカルユーザインタフェース要素は、前記個人情報ストリームに基づいた服用タイムラインの表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に、所定の期間に亘って前記対象生体によって薬が摂取されたときを示す前記服用タイムラインを表示することと
を更に含むことを特徴とする請求項１に記載の方法。
【請求項６】
前記所定の期間に亘って前記服用タイムラインを追跡することと、
服用事象を表示することと
を含むことを特徴とする請求項５に記載の方法。
【請求項７】
前記服用タイムラインにコメント吹き出しを表示することを更に含むことを特徴とする請求項５に記載の方法。
【請求項８】
前記複数の選択可能なグラフィカルユーザインタフェース要素は、前記個人情報ストリームに基づいた前記対象生体の身体活動傾向の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に、第１の所定の期間に亘る身体活動レベルを有して第２の所定の期間に及ぶ身体活動傾向タイムラインを表示することと
を更に含むことを特徴とする請求項１に記載の方法。
【請求項９】
前記第１の所定の期間は１日２４時間であり、前記第２の所定の期間は１週間であり、
前記方法は、
２４時間に亘る前記身体活動レベルを示すための棒グラフ要素を表示することと、
１週間に亘る更なる２４時間毎の該当する身体活動レベルを示す更なる棒グラフ要素を、１週間に亘って更なる２４時間毎に表示することと
を更に含むことを特徴とする請求項８に記載の方法。
【請求項１０】
前記第１の所定の期間は１日２４時間であり、前記第２の所定の期間は１週間であり、
前記方法は、
２４時間に亘って前記対象生体が歩いた歩数を示すためにアイコン要素を表示することと、
１週間に亘って更なる２４時間毎に前記対象生体が歩いた該当する歩数を示すアイコン要素を、１週間に亘って更なる２４時間毎に表示することと
を更に含むことを特徴とする請求項８に記載の方法。
【請求項１１】
前記複数の選択可能なグラフィカルユーザインタフェース要素は、前記個人情報ストリームに基づいた前記対象生体の服用傾向の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内に服用傾向タイムラインを表示することと
を更に含み、
前記服用傾向タイムラインは、前記対象生体によって摂取された薬の数と第１の所定の期間に亘る前記薬の摂取に関連したタイムスタンプとを有し、第２の所定の期間に及ぶことを特徴とする請求項１に記載の方法。
【請求項１２】
前記第１の所定の期間は１日２４時間であり、前記第２の所定の期間は１週間であり、
前記方法は、
２４時間に亘って前記対象生体によって前記薬が摂取されたときを示すための要素を表示することと、
１週間に亘って更なる２４時間毎に前記対象生体によって前記薬が摂取された該当する時間を示す更なる要素を、１週間に亘って更なる２４時間毎に表示することと
を更に含むことを特徴とする請求項１１に記載の方法。
【請求項１３】
前記要素に、同時に摂取された薬の数を表示することを更に含むことを特徴とする請求項１１に記載の方法。
【請求項１４】
前記要素に、メモを表示することを更に含むことを特徴とする請求項１１に記載の方法。
【請求項１５】
前記複数の選択可能なグラフィカルユーザインタフェース要素は、前記受信器の構成、初期設定、管理及び交換の表示に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記グラフィカルユーザインタフェース画面内にボタン要素を表示することと
を更に含むことを特徴とする請求項１に記載の方法。
【請求項１６】
前記受信器、モバイルデバイス及びバックエンドコンピュータ処理システムの動作の試験に関連する前記ボタン要素に関連した第２の入力を、前記モバイルデバイスによって受けることと、
前記第２の入力に応じて、前記受信器、前記モバイルデバイス及び前記バックエンドコンピュータ処理システムの動作を試験することと
を更に含むことを特徴とする請求項１５に記載の方法。
【請求項１７】
前記受信器の交換に関連する前記ボタン要素に関連した第２の入力を、前記モバイルデバイスによって受けることと、
前記第２の入力に応じて、前記受信器を交換することと
を更に含むことを特徴とする請求項１５に記載の方法。
【請求項１８】
前記複数の選択可能なグラフィカルユーザインタフェース要素は、招待、及び少なくとも１人の被招待者と共有されるデータの制御等のデータ共有機能の管理及び制御に対応する少なくとも１つの他のグラフィカルユーザインタフェース要素を有し、
前記方法は、
前記モバイルデバイスによって、前記少なくとも１つの他のグラフィカルユーザインタフェース要素を選択する入力を受けることと、
前記少なくとも１つの他のグラフィカルユーザインタフェース要素を選択する入力に応じて、前記少なくとも１人の被招待者に関連した要素と、前記少なくとも１人の被招待者に関連して活動タイムライン要素、活動傾向チャート要素及び服用タイムライン要素のうちのいずれかに相当する少なくとも１つの選択要素とを有する管理共有画面を前記グラフィカルユーザインタフェース画面内に表示することと、
前記モバイルデバイスによって、前記被招待者に関連した前記要素のうちの１つの選択に関連した第２の入力を受けることと、
該第２の入力に応じて、前記少なくとも１人の被招待者に関連した前記要素のうちの１つを選択することと、
前記選択された要素に関連したデータを共有するために前記少なくとも１人の被招待者に招待案内を送信することと
を更に含むことを特徴とする請求項１に記載の方法。
【請求項１９】
前記モバイルデバイスによって、前記少なくとも１人の被招待者から、前記対象生体に関連した個人コードを含む通信を受信することと、
前記個人コードが受信され、前記バックエンドコンピュータ処理システムによって確認された場合にのみ、前記選択された要素に関連したデータの共有を可能にすることと
を更に含むことを特徴とする請求項１８に記載の方法。
【請求項２０】
摂取可能なデバイスから通信を受信することを更に含むことを特徴とする請求項１に記載の方法。
【請求項２１】
予め登録してあるコンピュータによって実行されるヘルスケア情報環境でレジメンへのアドヒアランスを管理するためのシステムであって、
プロセッサと、該プロセッサに連結されたメモリと、前記プロセッサに連結されたディスプレイとを備えたモバイルデバイスを備えており、
該モバイルデバイスは、
対象生体によって摂取される該当する用量の薬の内部に埋め込まれたマーカから検出された薬摂取情報を含む第１の無線伝送を、前記対象生体の身体に連結された一又は複数の着用可能な無線受信器から自動的に受信して、前記用量の薬が前記対象生体によって摂取されると前記薬摂取情報を継続的に受信し、
前記第１の無線伝送の自動的な受信に応じて、前記薬摂取情報を無線ネットワークを介してバックエンドコンピュータ処理システムにあるコンピュータに自動的に無線通信し、
受信した前記薬摂取情報に少なくとも部分的に基づいて所定の期間に亘る前記対象生体の挙動を特徴付ける個人情報ストリームを、前記バックエンド処理システムにある前記コンピュータから受信し、
前記ディスプレイにグラフィカルユーザインタフェース画面を表示し、
前記グラフィカルユーザインタフェース画面内に、前記個人情報ストリームに少なくとも部分的に基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象生体に関連した情報を表示させ、
少なくとも１つのグラフィカルユーザインタフェース要素を選択する入力を受けて、
前記少なくとも１つのグラフィカルユーザインタフェース要素を選択する入力に応じて、前記グラフィカルユーザインタフェース画面内に、前記所定の期間に亘る前記対象生体の活動レベルを示す活動リボンを有する前記活動タイムラインを表示し、
前記グラフィカルユーザインタフェース画面内に、前記活動リボン及び前記活動タイムラインに対して薬の摂取を表示する
ように構成されており、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、実際に検出された薬の摂取時間を別の組のアイコンとして表示することを特徴とするシステム。
【請求項２２】
対象によって摂取される該当する用量の薬の内部に埋め込まれたマーカから検出された薬摂取情報を含む第１の無線伝送を、プロセッサと、該プロセッサに連結されたメモリと、前記プロセッサに連結されたディスプレイとを備えたモバイルデバイスで、前記対象の身体に連結された一又は複数の着用可能な無線受信器から自動的に受信して、前記用量の薬が前記対象によって摂取されると前記薬摂取情報を前記モバイルデバイスで継続的に受信するステップと、
前記第１の無線伝送の自動的な受信に応じて、前記薬摂取情報を含む第２の無線伝送をコンピュータに自動的に送信するステップと、
前記コンピュータから、該コンピュータに送信された薬摂取情報に少なくとも部分的に基づいて所定の期間に亘る前記対象の挙動を特徴付ける個人情報ストリームを受信するステップと、
前記受信した情報に基づいて所定の期間に亘る前記対象の活動レベルを特徴付ける前記個人情報ストリームを前記モバイルデバイスに表示するステップと、
前記ディスプレイにグラフィカルユーザインタフェース画面を表示するステップと、
前記グラフィカルユーザインタフェース画面内に、個人情報ストリームに基づいた活動タイムラインの表示に対応する少なくとも１つのグラフィカルユーザインタフェース要素を有する複数の選択可能なグラフィカルユーザインタフェース要素を表示して、前記複数の選択可能なグラフィカルユーザインタフェース要素から１つを選択することにより、前記グラフィカルユーザインタフェース画面に前記対象に関連した情報を表示させるステップと、
少なくとも１つのグラフィカルユーザインタフェース要素を選択する入力を受けるステップと、
前記少なくとも１つのグラフィカルユーザインタフェース要素を選択する入力に応じて、前記グラフィカルユーザインタフェース画面内に、前記所定の期間に亘る前記対象の活動レベルを示す活動リボンを有する前記活動タイムラインを表示するステップと、
前記グラフィカルユーザインタフェース画面内に、前記活動リボン及び前記活動タイムラインに対して薬の摂取を表示するステップと
を含み、
前記グラフィカルユーザインタフェース画面は、計画された服用時間に対する実際の服用時間が前記グラフィカルユーザインタフェース画面によって視覚的に相互に関連付けられるように、前記活動タイムラインに沿って、計画された服用時間を１組のアイコンとして、実際に検出された薬の摂取時間を別の組のアイコンとして表示することを特徴とする方法。
【請求項２３】
前記モバイルデバイスは、前記第１の無線伝送を自動的に受信すべく構成された前記モバイルデバイスに記憶されたアプリケーションを更に有していることを特徴とする請求項１に記載の方法。
【請求項２４】
前記薬摂取情報は、前記対象生体によって摂取された前記用量の薬に関するデータを含んでおり、該データは、前記用量の薬の第１の識別、前記用量の薬の製造元の第２の識別、前記マーカの固有の識別及びこれらの組み合わせからなる群から選択されることを特徴とする請求項１に記載の方法。
【請求項２５】
前記薬摂取情報を受信した時間を決定することを更に含み、
前記バックエンドコンピュータ処理システムに送信される第２の無線伝送は、前記時間を更に含むことを特徴とする請求項１に記載の方法。
【請求項２６】
前記個人情報ストリームは、前記マーカの固有の識別に関連して前記コンピュータのメモリに記憶されたデータに更に基づいていることを特徴とする請求項１に記載の方法。
【請求項２７】
前記個人情報ストリームを含む第３の無線伝送を第２のモバイルデバイスに送信することを更に含むことを特徴とする請求項１に記載の方法。
【請求項２８】
前記対象生体に関連した登録情報を含む第３の無線伝送を、前記バックエンドコンピュータ処理システムに送信することを更に含むことを特徴とする請求項１に記載の方法。